(57)【特許請求の範囲】
【請求項１】
複数の固定接点を有するハウジングと、前記ハウジングに配され押圧操作に応じて前記複数の固定接点に離接する可動接点板と、前記可動接点板を押圧操作するための操作部と、前記ハウジングに嵌合され前記操作部の抜け落ちを防止するカバーと、前記ハウジングに配された前記可動接点板と前記操作部との間に配されるシート部材とを備え、前記可動接点板は前記複数の固定接点の一部に当接して配置され、前記操作部は前記可動接点板を押圧可能に配置され、前記操作部は基部と、その基部に外部から押圧操作を受ける釦部とを有し、前記カバーは前記釦部を挿通可能な開口部を有したプッシュスイッチにおいて、
前記ハウジングは外部からの操作を受けて移動する前記操作部を案内する一対のガイド壁を有し、前記ガイド壁は前記複数の固定接点が配された領域を挟み離間して配置され、
前記ハウジングおよび前記カバーによって形成される空間内に配置された前記操作部、前記シート部材および前記可動接点板は、ある対向する２方向の外部を前記カバーにより覆われ、別の対向する２方向の外部を前記ガイド壁により覆われて、
前記操作部が押圧される方向に対して垂直な面において、前記開口部の一方の幅寸法が前記カバーの一方の幅寸法と実質的に同じ寸法まで拡げられているとともに、前記釦部の一方の幅寸法が前記基部の一方の幅寸法と実質的に同じ寸法であることを特徴とするプッシュスイッチ。
【請求項２】
前記カバーは前記開口部が設けられた前面板を有し、前記前面板は前記開口部により分割されていることを特徴とする請求項１に記載のプッシュスイッチ。
【請求項３】
前記操作部は、前記基部を前記釦部が突出している面側から見たときに、前記基部の四隅にはそれぞれ面取り形状に形成された傾斜面を有しており、前記傾斜面に対応する前記ガイド壁の面には前記傾斜面を案内する案内部がそれぞれ形成されていることを特徴とする請求項１に記載のプッシュスイッチ。
【発明の詳細な説明】
【技術分野】
【０００１】
本発明は、横押し操作のプッシュスイッチに関し、特に、小型化した場合においても操作性のよいプッシュスイッチに関するものである。
【背景技術】
【０００２】
昨今、スマートフォン等の携帯電話の側面に配置される操作スイッチとして横押し操作のプッシュスイッチが使われることが多い。スマートフォンにおいては、高機能化に伴い、限られたスペースの中により多くの部品を配置する必要がある。
【０００３】
今後、スマートフォンのさらなる高機能化に伴い、より多くの部品を限られたスペースに配置するために、より小型のプッシュスイッチが求められている。
【０００４】
従来のプッシュスイッチとしては、下記の特許文献１に記載のプッシュスイッチが知られている。
【０００５】
以下、図１０および図１１を用いて、特許文献１に記載のプッシュスイッチについて説明する。図１０は、プッシュスイッチＳＷの外観図である。図１１はプッシュスイッチＳＷの構成を示す分解斜視図である。
【０００６】
特許文献１に記載のプッシュスイッチＳＷは、図１０および図１１に示すように、前方が開口した凹部ＢＴ底面に中央固定接点ＣＣと外側固定接点ＯＣが露呈するようにインサート成形により固定されたスイッチ本体部ＳＢを有すると共に、そのスイッチ本体部ＳＢの両側面並びに後面の上部に外方に向かって突出形成された受け部ＣＴを備え、プリント配線板の端部に形成された切り欠き部に装着される際に、スイッチ本体部ＳＢの後部が前記切り欠き部の後端面に当接し、受け部ＣＴの下面が前記プリント配線板の上面に当接載置可能な形状に形成された絶縁樹脂製のケースＣＡと、外周端部が外側固定接点ＯＣに載せられて前記ケースの凹部ＢＴ内に収容される弾性金属薄板製のドーム状可動接点ＭＣと、ドーム状可動接点ＭＣをケースＣＡに保持し保護するシート部材ＳＴと、ドーム状可動接点ＭＣを後端で押圧可能なようにケースＣＡに前後動可能に配された操作体ＡＣと、ケースＣＡに取り付けられ、後面で操作体ＡＣを保持するカバーＣＶと、ケースＣＡの凹部ＢＴに設けられた中央固定接点ＣＣおよび外側固定接点ＯＣに導通した端子ＴＲからなる。
【０００７】
カバーＣＶは、図１０に示すように、操作体ACを挿通可能な開口部ＯＭを有しており、開口部ＯＭの上下方向の幅寸法は、カバーＣＶが開口部ＯＭを有する面の上下方向の幅寸法よりも小さく、開口部ＯＭの左右方向の幅寸法は、カバーＣＶが開口部ＯＭを有する面の左右方向の幅寸法よりも小さく形成されている。
【先行技術文献】
【特許文献】
【０００８】
【特許文献１】特許第３９５９９１６号公報
【発明の概要】
【発明が解決しようとする課題】
【０００９】
特許文献１に記載のプッシュスイッチＳＷは、通常に使用した場合には使用上で特に問題のないプッシュスイッチである。
【００１０】
しかしながら、プッシュスイッチＳＷを小型化した場合に、それにあわせて開口部ＯＭおよび操作体ＡＣの実際に操作される操作部ＢＴも小さくなり、操作部ＢＴの操作面積が小さく操作性が悪くなる恐れがあった。
【００１１】
本発明は、上述した課題を解決して、小型化した場合でも、操作性を保つことができるプッシュスイッチを提供するものである。
【課題を解決するための手段】
【００１２】
請求項１に記載のプッシュスイッチは、複数の固定接点を有するハウジングと、前記ハウジングに配され押圧操作に応じて前記複数の固定接点に離接する可動接点板と、前記可動接点板を押圧操作するための操作部と、前記ハウジングに嵌合され前記操作部の抜け落ちを防止するカバーと、前記ハウジングに配された前記可動接点板と前記操作部との間に配されるシート部材とを備え、前記可動接点板は前記複数の固定接点の一部に当接して配置され、前記操作部は前記可動接点板を押圧可能に配置され、前記操作部は基部と、その基部に外部から押圧操作を受ける釦部とを有し、前記カバーは前記釦部を挿通可能な開口部を有したプッシュスイッチにおいて、前記ハウジングは外部からの操作を受けて移動する前記操作部を案内する一対のガイド壁を有し、前記ガイド壁は前記複数の固定接点が配された領域を挟み離間して配置され、前記ハウジングおよび前記カバーによって形成される空間内に配置された前記操作部、前記シート部材および前記可動接点板は、ある対向する２方向の外部を前記カバーにより覆われ、別の対向する２方向の外部を前記ガイド壁により覆われて、前記操作部が押圧される方向に対して垂直な面において、前記開口部の一方の幅寸法が前記カバーの一方の幅寸法と実質的に同じ寸法まで拡げられているとともに、前記釦部の一方の幅寸法が前記基部の一方の幅寸法と実質的に同じ寸法である、という特徴を有する。
【００１３】
請求項２に記載のプッシュスイッチは、前記カバーは前記開口部が設けられた前面板を有し、前記前面板は前記開口部により分割されている、という特徴を有する。
【００１５】
請求項３に記載のプッシュスイッチは、前記基部を前記釦部が突出している面側から見たときに、前記基部の四隅にはそれぞれ面取り形状に形成された傾斜面を有しており、前記傾斜面に対応する前記ガイド壁の面には前記傾斜面を案内する案内部がそれぞれ形成されている、という特徴を有する。
【発明の効果】
【００１６】
請求項１の発明によれば、釦部の一方の幅寸法と操作部の一方の幅寸法とを同じ寸法としたことで、釦部の大きさを大きく取ることができ、製品を小型化した場合であっても操作性を保つことができる、という効果を奏する。さらに、ハウジング内にカバーによって一体に配置された操作部、シート部材および可動接点板を、一方の幅方向はカバーにより外部を覆われ、他方の幅方向はガイド壁により外部を覆うことで、カバーにより外部を覆う方向におけるハウジングの寸法を小さくし、従来の構造と同等の防塵性を有する小型化のプッシュスイッチを提供することが可能となる、という効果を奏する。
【００１７】
請求項２の発明によれば、開口部の一方の幅寸法とカバーの一方の幅寸法とを同じ寸法にすることで、従来は配置できなかった領域にまで操作部を配置する事が可能となり、釦部の大きさをより大きく取ることができ、製品を小型化した場合であっても操作性をより確実に保つことができる、という効果を奏する。
【００１９】
請求項３の発明によれば、操作部に設けた傾斜面部を、ガイド壁に設けた案内部で案内することで、操作部の動きはスムーズになり、小型化しても操作性の良いプッシュスイッチを提供することが可能となる、という効果を奏する。
【図面の簡単な説明】
【００２０】
【図１】プッシュスイッチ１の構成部品を示す分解斜視図である。
【図２】プッシュスイッチ１の前面を示す図である。
【図３】プッシュスイッチ１の後面を示す図である。
【図４】ハウジング１１を示す図である。
【図５】可動接点板１２を示す図である。
【図６】シート部材１３を示す図である。
【図７】操作部１４を示す図である。
【図８】カバー１５を示す図である。
【図９】プッシュスイッチ１の動作を示す図である。
【図１０】プッシュスイッチＳＷの外観図である。
【図１１】プッシュスイッチＳＷの構成を示す分解斜視図である。
【発明を実施するための形態】
【００２１】
［第１実施形態］
以下に第１実施形態におけるプッシュスイッチ１について説明する。
【００２２】
まず始めに本実施形態におけるプッシュスイッチ１の構成について図１ないし図３を用いて説明する。図１はプッシュスイッチ１の構成部品を示す分解斜視図である。図２はプッシュスイッチ１の前面を示す図である。図３はプッシュスイッチ１の背面を示す図である。
【００２３】
プッシュスイッチ１は、図１に示すように、複数の固定接点１６を有するハウジング１１と、ハウジング１１に配され押圧操作に応じて複数の固定接点１６に離接する可動接点板１２と、可動接点板１２を固定接点１６と離説可能な状態でハウジング１１に保持するシート部材１３と、ハウジング１１の前方側から一部が突出するように配され、押圧操作により可動接点板１２を可動させるための操作体１４と、ハウジング１１に嵌合され操作体１４の抜け落ちを防止するカバー１５とを備えている。
【００２４】
プッシュスイッチ１は、図２および図３に示すように、電気製品の基板ＢＯに設けられた切り欠き部ＳＬにハウジング１１の下方側の一部が配置可能であって、操作体１４がハウジング１１の前方側から後方側へ向けての方向（矢印Ａ方向）に移動可能としたプッシュスイッチである。なお、基板ＢＯの形状は説明のために簡略に示したものであり、各種の電気製品に応じてその形状は変わるものである。
【００２５】
次に、構成部品について、図４ないし図８を用いて説明する。図４はハウジング１１を示す図であり、図４（ａ）はハウジング１１の前方側を示す図であり、図４（ｂ）はハウジング１１の後方側を示す図である。図５は可動接点板１２を示す図であり、図５（ａ）は可動接点板１２の斜視図であり、図５（ｂ）は可動接点板１２の側面を表わす図である。図６はシート部材部材１３を示す図である。図７は操作部１４を示す図であり、図７（ａ）は操作部１４の前方側を示す図であり、図７（ｂ）は操作部１４の後方側を示す図である。図８はカバー１５を示す図であり、図８（ａ）はカバー１５の上方側を示す図であり、図８（ｂ）はカバー１５の下方側を示す図である。
【００２６】
ハウジング１１は、図４に示すように、合成樹脂材からなり、略直方体形状に形成されている。また、ハウジング１１は、基台部１１ａを有しており、インサート成形により、その一部をハウジング１１の表面から露出する固定接点１６が基台部１１ａと一体に形成されている。また、固定接点１６は金属板からなっている。
【００２７】
基台部１１ａの前面の中央には略楕円形の凹状に形成され可動接点板１２を配置可能な可動接点板１２の配置部１１ｂが設けられ、配置部１１ｂの中央には固定接点１６の一部である第１固定接点１６ａが露出して設けられており、配置部１１ｂの左右端には固定接点１６の一部であり第１固定接点１６ａと電気的な接続が無い第２固定接点１６ｂが露出して設けられている。
【００２８】
基台部１１ａの前方上側の左右端には、ハウジング１１と一体に形成された第２固定接点１６ｂの一部を左右方向に嵌合部１１ｅに対応する位置まで延長して形成された補強片１６ｃがハウジング１１の外方まで露出して設けられている。
【００２９】
基台部１１ａの前面には、操作部１４の動作をガイドするガイド壁１１ｃが、配置部１１ｂを挟んで左右両側に、基台部１１ａに対して垂直にかつ前方向へ突出してそれぞれ形成されている。配置部１１ｂに臨む側のガイド壁１１ｃの面には操作部１４の形状に対応した形状に形成された案内部１１ｄがそれぞれ形成されている。
【００３０】
また、補強片１６ｃが設けられた位置に対応する基台部１１ａの後面の位置には、図４（ｂ）に示すように、カバー１５と嵌合する嵌合部１１ｅが設けられており、嵌合部１１ｅは、ハウジング１１の上方側から下方側への方向に沿って形成された平坦な面である嵌合面１１ｆと、ハウジング１１の上方側から下方側への方向に沿って形成された平坦な面であるガイド面１１ｇとを有し、嵌合面１１ｆは後方に臨んで形成され、ガイド面１１ｇは嵌合面１１ｆに連続した面であり、嵌合面１１ｆに対して前方へ傾斜して形成されている。
【００３１】
ハウジング１１の後方側には金属板からなり外部と電気的な接続が可能な第１端子１６ｄと第２端子１６ｅとが設けられている。第１端子１６ｄと第２端子１６ｅとは左右方向に並び、後方に突出するように形成されている。
【００３２】
第１端子１６ｄは第１固定接点１６ａの一部を延設して形成され、第２端子１６ｅは第２固定接点１６ｂの一部を延設して形成されている。
【００３３】
可動接点板１２は、図５（ａ）および図５（ｂ）に示すように、金属板からなり略楕円形のドーム形状に形成されている。ドーム形状に形成された可動接点部１２ａは、可動接点部１２ａが突出している方向から押圧されると押圧される方向へ撓んだ後に反転し、押圧を解除すると押圧前の形状に戻る。
【００３４】
シート部材１３は、図６に示すように、可撓性を有した合成樹脂材料からなり、シート状に形成されている。シート部材１３の外形は略八角形に形成されるとともに、一方の面には接着剤が塗布された粘着面１３ａが形成されている。
【００３５】
操作部１４は、図７（ａ）および図７(ｂ)に示すように、合成樹脂材料から形成されている。操作部１４は板状に形成された基部１４ａと、基部１４ａの一方の面から柱状に突出して形成され外部から押圧操作を受ける釦部１４ｂとを有する。釦部１４ｂの上下方向の幅寸法が基部１４ａの上下方向の幅寸法と実質的に同じ寸法に形成されている。
【００３６】
操作部１４を前方側から見たとき、基部１４ａは略八角形に形成されており、操作部１４の基部１４ａの四隅にはそれぞれ面取り形状に形成された傾斜面１４ｃを有している。
【００３７】
基部１４ａの他方の面の中心には可動接点板１２の可動接点部１２ａを押圧可能な凸部１４ｄが形成されている。凸部１４ｄは基部１４ａから離れる方向へ突出した円錐の先端を切り取ったような形状に形成されている。
【００３８】
カバー１５は、図８（ａ）および図８(ｂ)に示すように、金属板を板金加工して形成されている。カバー１５は略長方形状に形成された前面板１５ａと、前面板１５ａの上下から前面板１５ａに対して垂直に同じ方向（後方向）へ延設された保護壁１５ｂと、前面板１５ａの左右から前面板１５ａに対して垂直に保護壁１５ｂと同じ方向へ延設された側壁１５ｃと、を有する。
【００３９】
また、カバー１５の前面板１５ａは釦部１４ｂを挿通可能な開口部１５ｄを有している。開口部１５ｄの上下方向の幅寸法は前面板１５ａの上下方向の幅寸法と同じ寸法まで拡げており、前面板１５ａは開口部１５ｄにより分割されている。
【００４０】
保護壁１５ｂは、保護壁１５ｂの後側端面の左右端から後方向へ延設された延設部１５ｅを有し、延設部１５ｅの先端にはそれぞれ左右方向の外側に向かって突出して設けられハウジング１１の嵌合部１１ｅと嵌合する嵌合片１５ｆを有する。
【００４１】
側壁１５ｃは基板ＢＯ（図２参照）に取り付けるときに半田付けされる半田付け部１５ｇをそれぞれ有し、半田付け部１５ｇは側壁１５ｃの下方端部を側壁１５ｃに対して垂直にカバー１５の内側へ折り曲げて形成されている。
【００４２】
また、半田付け部１５ｇを含むカバー１５の下側の領域には金メッキが施されている。
【００４３】
次にプッシュスイッチ１の構造について図１および図２を用いて説明する。
【００４４】
図１に示すように、可動接点板１２を２枚重ね、ハウジング１１の配置部１１ｂに配置する。このとき、可動接点板１２は可動接点部１２ａをハウジング１１に設けられた固定接点１６から遠ざかる方向に向けて配置され、第２固定接点１６ｂと電気的に接続される。
【００４５】
シート部材１３は、粘着面１３ａを可動接点板１２に向けて可動接点板１２に重ねて配置されるとともに、粘着面１３ａの一部をハウジング１１の基台部１１ａに接着し、可動接点板１２をハウジング１１に保持する。
【００４６】
操作部１４は凸部１４ｄ（図７参照）がシート部材１３に当接するように、シート部材１３に重ねて配置される。このとき、操作部１４の傾斜面１４ｃは、それぞれに対応するガイド壁１１ｃの案内部１１ｄによって案内され、案内部１１ｄに沿って移動可能に配置される。また、釦部１４ｂは、ハウジング１１の案内部１１ｄから前方側に突出するように配置される
【００４７】
カバー１５は、保護壁１５ｂと側壁１５ｃとに囲まれた領域にハウジング１１のガイド壁１１ｃを挿入するようにハウジング１１に重ねて配置される。このとき、操作部１４の釦部１４ｂはカバー１５の開口部１５ｄに挿通され、外部に露出した状態でハウジング１１の前方側に配置される。
【００４８】
ハウジング１１に重ねて配置されたカバー１５の嵌合片１５ｆをかしめて嵌合面１１ｆと嵌合片１５ｆとが係合することで、カバー１５はハウジング１１に嵌合し、図２に示すようなプッシュスイッチ１となる。
【００４９】
これにより、ハウジング１１内にカバー１５によって一体に配置された操作部１４、シート部材１３および可動接点板１２は、一方の幅方向（上下方向）はカバー１５により外部を覆われ、他方の幅方向（左右方向）はガイド壁１１ｃにより外部を覆われている。
【００５０】
また、開口部１５ｄの上下方向の幅寸法がカバー１５の上下方向の幅寸法と同じ寸法まで拡げられるとともに、釦部１４ｂの上下方向の寸法が操作部１４の上下方向の寸法と同じ寸法まで拡げられ、操作部１４の上下方向の寸法は、外部からの押圧操作にともなった移動の妨げにならない範囲で最大限まで拡げられている。
【００５１】
次に、プッシュスイッチ１の動作について、図９を用いて説明する。図９はプッシュスイッチ１の動作を示す図であり、図９（ａ）は操作前のプッシュスイッチ１の状態を示す図であり、図９（ｂ）は操作後のプッシュスイッチ１の状態を示す図である。なお、説明を容易にするため、図９においては可動接点ばね１２は１つのみの記載としている。
【００５２】
図９（ａ）に示すように、矢印Ｂ方向に操作部１４の釦部１４ｂを押圧すると、操作部１４は矢印Ｂ方向に移動する。矢印Ｂ方向に移動した操作部１４は、図９（ｂ）に示すように、凸部１４ｄをシート部材１３に当接し、シート部材１３を介して可動接点板１２を押圧する。押圧された可動接点板１２は可動接点部１２ａが押圧された方向に撓み、第１固定接点１６ａに当接する。
【００５３】
押圧された可動接点板１２が第１固定接点１６ａに当接することで、可動接点板１２を介して第１固定接点１６ａと第２固定接点１６ｂとの間が電気的に導通する。また、操作部１４への押圧操作が解除されると、可動接点板１２の弾性力により操作部１４、シート部材１３および可動接点板１２は押圧される前の位置に戻り、第１固定接点１６ａと第２固定接点１６ｂとの間の電気的な導通が解除される。このようにして第１固定接点１６ａと第２固定接点１６ｂとの間の電気的な導通を切り替えることでスイッチ機能が得られる。
【００５４】
次に、プッシュスイッチ１の電気製品の基板ＢＯへの取付について図１１を用いて説明する。図１１はプッシュスイッチ１の電気製品の基板ＢＯへの取付方法を説明する図であり、図１１（ａ）はプッシュスイッチ１を基板ＢＯに取付する前の状態を示す図であり、図１１（ｂ）はプッシュスイッチ１を基板ＢＯに取付した状態を示す図である。
【００５５】
基板ＢＯには、図１１（ａ）に示すように、金属箔からなりプッシュスイッチ１を基板に保持するための第１ランド部ＬＮ１と、金属箔からなりプッシュスイッチ１と電気的な接続をする第２ランド部ＬＮ２と、凹形状に切りかかれた切り欠き部ＳＬとが形成されている。
【００５６】
プッシュスイッチ１は、図１１（ｂ）に示すように、切り欠き部ＳＬ（図１１（ａ）参照）内にハウジング１１の下方側の一部を挿入して配置される。このとき、第１ランド部ＬＮ１上にはカバー１５に設けられた半田付け部１５ｇが配置され、一方の第２ランド部ＬＮ２上には第１端子１６ｄが配置され、他方の第２ランド部ＬＮ２には第２端子１６ｅが配置されている。
【００５７】
このように配置されたハンダ付け部１５ｈ、第１端子１６ｄおよび第２端子１６ｅをそれぞれ対応する第１ランド部ＬＮ１または第２ランド部ＬＮ２に半田付けすることで、プッシュスイッチ１は基板ＢＯ上に固定されるとともに、基板ＢＯと電気的に接続される。
【００５８】
以下、本実施形態としたことによる効果について説明する。
【００５９】
本実施形態のプッシュスイッチ１では、複数の固定接点１６を有するハウジング１１と、ハウジング１１に配され押圧操作に応じて複数の固定接点１６に離接する可動接点板１２と、可動接点板１２を押圧操作するための操作部１４と、ハウジング１１に嵌合され操作部１４の抜け落ちを防止するカバー１５と、ハウジング１１に配された可動接点板１２と操作部１４との間に配されるシート部材１３とを備え、可動接点板１２は前記複数の固定接点１６の一部に当接して配置され、操作部１４は可動接点板１２を押圧可能に配置され、操作部１４は基部１４ａと、その基部１４ａに外部から押圧操作を受ける釦部１４ｂとを有し、カバー１５は釦部１４ｂを挿通可能な開口部１５ｄを有したプッシュスイッチにおいて、ハウジング１１は外部からの操作を受けて移動する操作部１４を案内する一対のガイド壁１１ｃを有し、ガイド壁１１ｃは複数の固定接点１６が配された領域の他方の幅方向の外側に離間して配置され、釦部１４ｂの一方の幅寸法が基部１４ａの一方の幅寸法と実質的に同じ寸法である、構造とした。
【００６０】
これにより、釦部１４ｂの上下方向の幅寸法と操作部１４の上下方向の幅寸法とを同じ寸法としたことで、釦部１４ｂの大きさを大きくすることができ、製品を小型化した場合であっても操作性を保つことができる、という効果を奏する。
【００６１】
また、本実施形態のプッシュスイッチ１では、カバー１５は開口部１５ｄが設けられた前面板１５ａを有し、前面板１５ａは開口部１５ｄにより２分割されている、構造とした。
【００６２】
これにより、開口部１５ｄの上下方向の幅寸法とカバー１５の上下方向の幅寸法とを同じ寸法にすることで、従来は配置できなかった領域にまで操作部１４を配置する事が可能となり、釦部１４ｂの大きさをより大きく取ることができ、製品を小型化した場合であっても操作性をより確実に保つことができる、という効果を奏する。
【００６３】
また、本実施形態のプッシュスイッチ１では、ハウジング１１およびカバー１５によって形成される空間内に配置された操作部１４、シート部材１３および可動接点板１２は、ある対向する２方向の外部をカバー１５により覆われ、別の対向する２方向の外部をガイド壁１１ｃにより覆われている、構造とした。
【００６４】
これにより、従来のプッシュスイッチにおいて操作部、シート部材および可動接点板の周囲はハウジングによって全周囲まれていたが、プッシュスイッチ１においては、ハウジング１１内に配置された操作部１４、シート部材１３および可動接点板１２を、上下方向はカバー１５により外部を覆われ、左右方向はガイド壁１１ｃにより外部を覆うことで、ハウジング１１の上下方向の寸法を小さくし、従来の構造と同等の防塵性を有する小型化のプッシュスイッチを提供することが可能となる、という効果を奏する。
【００６５】
また、本実施形態のプッシュスイッチ１では、釦部１４ｂが突出して形成される基部１４ａを有し、基部１４ａを釦部１４ｂが突出している面側から見たときに、基部１４ａの四隅にはそれぞれ面取り形状に形成された傾斜面１４ｃを有しており、傾斜面１４ｃに対応するガイド壁１１ｃの面には傾斜面１４ｃを案内する案内部１１ｄがそれぞれ形成されている、構造とした。
【００６６】
これにより、操作部に設けた傾斜面１４ｃを、ガイド壁１１ｃに設けた案内部１１ｄで案内することで、操作部１４の動きはスムーズになり、小型化しても操作性の良いプッシュスイッチを提供することが出来る、という効果を奏する。
【００６７】
以上のように、本発明の実施形態に係るプッシュスイッチを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００６８】
（１）本実施形態において、可動接点板１２を２枚重ねて使用する構造としたが、配置可能な範囲で可動接点板１２の枚数は必要に応じて変更しても良い。
【００６９】
（２）本実施形態において、半田付け部１５ｇを含むカバー１５の下側の領域に金メッキを施したが、半田付け部１５ｇのみに施すなど金メッキを施す範囲を狭めても良い。これによりコストを削減することができる。
【００７０】
（３）本実施形態において、可動接点板１２は略楕円形状に形成されているが、円形に形成されているものでも良い。
【符号の説明】
【００７１】
１      プッシュスイッチ１
１１    ハウジング
１１ａ  基台部
１１ｂ  配置部
１１ｃ  ガイド壁
１１ｄ  案内部
１１ｅ  嵌合部
１１ｆ  嵌合面
１１ｇ  ガイド面
１２    可動接点板
１２ａ  可動接点部
１３    シート部材
１３ａ  粘着面
１４    操作部
１４ａ  基部
１４ｂ  釦部
１４ｃ  傾斜面
１４ｄ  凸部
１５    カバー
１５ａ  前面板
１５ｂ  保護壁
１５ｃ  側壁
１５ｄ  開口部
１５ｅ  延設部
１５ｆ  嵌合片
１５ｇ  半田付け部
１６    固定接点
１６ａ  第１固定接点
１６ｂ  第２固定接点
１６ｃ  補強片
１６ｄ  第１端子
１６ｅ  第２端子
【図１】
0005835841.tif 000002
【図２】
0005835841.tif 000003
【図３】
0005835841.tif 000004
【図４】
0005835841.tif 000005
【図５】
0005835841.tif 000006
【図６】
0005835841.tif 000007
【図７】
0005835841.tif 000008
【図８】
0005835841.tif 000009
【図９】
0005835841.tif 000010
【図１０】
0005835841.tif 000011
【図１１】
0005835841.tif 000012